(57)【要約】画素（18）を有する電気泳動ディスプレー（1）の駆動装置（15、10、16）は、複数の波形セット（So乃至Si）から選択された特定の駆動波形セット（Si）から、特定の一画素（18）に対する特定の駆動波形（Dij）を選択する制御器を有する。複数の波形セット（So乃至Si）からの特定の駆動波形セット（Si）の選択は、特定の一画素（18）とそれに隣接する隣接画素（18）との間のクロストークを低減するために、隣接画素（18）の光学状態に応じて決定される。各駆動波形セット（Si）は、特定の一画素（18）の光学状態を得るのに必要な、隣接画素（18）の光学状態の特定の構成に適した駆動波形（Dij）を有する。特定の駆動波形セット（Si）からの特定の駆動波形（Dij）の選択は、特定の一画素（18）に所望される光学状態によって決定される。画素ドライバ（10、16）が駆動波形を画素（18）に供給する。
2008508549.tif 000002
【特許請求の範囲】
【請求項１】
画素を有する電気泳動型ディスプレーの駆動装置であって、
複数の波形セットから選択された特定の駆動波形セットから、特定の1つの画素に対する特定の駆動波形を選択する制御器であり、
前記複数の波形セットからの前記特定の駆動波形セットの選択が、前記特定の１つの画素と該特定の１つの画素に隣接する隣接画素との間のクロストークを低減するために、該隣接画素の光学状態に応じて決定され、
各駆動波形セットが、前記特定の１つの画素の光学状態を得るのに必要な駆動波形であり、前記隣接画素の光学状態の特定の構成に適した駆動波形を有し、且つ
前記特定の駆動波形セットからの前記特定の駆動波形の選択が、前記特定の１つの画素に所望される光学状態によって決定される
制御器、及び
前記駆動波形を前記画素に供給する画素ドライバ
を有する駆動装置。
【請求項２】
先行画像を記憶するメモリ、及び
前記画素によって為されるべき所望の光学遷移を決定するために、現画像を前記先行画像と比較する比較器であり、前記光学状態は光学遷移である比較器
を更に有する請求項１に記載の駆動装置。
【請求項３】
各駆動波形セットが、起こり得る全ての光学遷移を対象とするのに必要な駆動波形を有する、請求項１に記載の駆動装置。
【請求項４】
前記所望の光学遷移を得るのに必要な波形への参照を記憶する更なるメモリを更に有する請求項２に記載の駆動装置。
【請求項５】
前記画素ドライバが、前記隣接画素の光学状態に応じて異なる期間、大きさ、及び／又は相対的なタイミングを持つデータ部を有する前記特定の駆動波形を供給する、請求項１に記載の駆動装置。
【請求項６】
前記画素ドライバが、リセットパルスを有する前記特定の駆動波形を供給する、請求項５に記載の駆動装置。
【請求項７】
前記画素ドライバが、前記隣接画素の光学状態に応じて異なる期間、大きさ、及び／又は相対的なタイミングを持つリセットパルスを有する前記特定の駆動波形を供給する、請求項１に記載の駆動装置。
【請求項８】
前記画素ドライバが、振動パルスを更に有する前記特定の駆動波形を供給する、請求項５乃至７の何れか一項に記載の駆動装置。
【請求項９】
前記画素ドライバが、第１の振動パルス、前記リセットパルス、第２の振動パルス、及び前記データ部である駆動パルスを続けて有する前記特定の駆動波形を供給する、請求項６に記載の駆動装置。
【請求項１０】
電気泳動型ディスプレー、及び請求項１に記載の駆動装置を有するディスプレーパネル。
【請求項１１】
請求項１０に記載のディスプレーパネル、及び入力データを受け取り、光学遷移を決定する前記駆動装置に画像を供給する画像処理回路を有する表示装置。
【請求項１２】
画素を有する電気泳動型ディスプレーの駆動方法であって、
複数の波形セットから選択された特定の駆動波形セットから、特定の1つの画素に対する特定の駆動波形を選択する選択ステップであり、
前記複数の波形セットからの前記特定の駆動波形セットの選択が、前記特定の１つの画素と該特定の１つの画素に隣接する隣接画素との間のクロストークを低減するために、該隣接画素の光学状態に依存し、
各駆動波形セットが、前記特定の１つの画素の光学状態を得るのに必要な駆動波形であり、前記隣接画素の光学状態の特定の構成に適した駆動波形を有し、且つ
前記特定の駆動波形セットからの前記特定の駆動波形の選択が、前記特定の１つの画素に所望される光学状態によって決定される
選択ステップ、及び
前記駆動波形を前記画素に供給するステップ
を有する駆動方法。
【発明の詳細な説明】
【技術分野】
【０００１】
本発明は、電気泳動型ディスプレーの駆動装置、前記駆動装置を有するディスプレーパネル、前記ディスプレーパネルを有する表示装置、及び電気泳動型ディスプレーの駆動方法に関する。
【背景技術】
【０００２】
電気泳動型の表示装置が特許文献１により知られている。この特許出願は２つの基板を有する電子インクディスプレー（Ｅ−ｉｎｋディスプレーとも呼ばれる）を開示している。一方の基板は透明であり、他方の基板は行列状に配置された電極を具備している。ディスプレー要素又は画素は行電極及び列電極の交点に関連付けられている。各ディスプレー要素は薄膜トランジスタ（ＴＦＴとも呼ばれる）の主電極を介して列電極に結合されている。ＴＦＴのゲートは行電極に結合されている。ディスプレー要素、ＴＦＴ、並びに行電極及び列電極のこの構成は合同でアクティブマトリックス型表示装置を形成している。
【０００３】
各画素は、ＴＦＴを介して列電極に接続された画素の電極である画素電極を有している。画像更新又は画像リフレッシュの期間中、行ドライバはディスプレー要素の全ての行を１つずつ選択するように制御され、列ドライバは、列電極及びＴＦＴを介して、ディスプレー要素の選択された行に並列にデータ信号を供給するように制御される。このデータ信号はマトリックス型表示装置に表示されるべき画像データに対応する。
【０００４】
さらに、画素電極と透明基板上に設けられた共通電極との間に電子インクが備えられている。電子インクは、故に、共通電極と画素電極との間に挟み込まれている。電子インクは複数のマイクロカプセルを有している。マイクロカプセルはおよそ10μmから50μmである。各マイクロカプセルは流動体内に浮遊させられた正に帯電された白色粒子と負に帯電された黒色粒子とを有している。画素電極に正電圧が印加されると、白色粒子がマイクロカプセルの透明基板側の面に移動し、見る者にはディスプレー要素が白く見えることになる。同時に、黒色粒子はマイクロカプセルの反対側の画素電極の方に移動し、黒色粒子は見る者から隠されることになる。画素電極に負電圧を印加することにより、黒色粒子がマイクロカプセルの透明基板側の共通電極の方に移動し、見る者にはディスプレー要素が黒く見えることになる。電界が除去されると、表示装置はそれまでの状態に滞り、双安定特性を示す。黒色及び白色粒子を有するこの電子インクディスプレーは電子ブックとして特に有用である。
【０００５】
この表示装置においては、階調はマイクロカプセル頂部の共通電極の方に移動する粒子の量を制御することによって作り出され得る。例えば、電界強度と印加時間との積として定められる正電界又は負電界のエネルギーが、マイクロカプセルの頂部に移動する粒子の量を制御する。
【０００６】
この公知の表示装置の欠点は、画素間のクロストークの問題を有することである。
【特許文献１】国際公開第９９／５３３７３号パンフレット
【発明の開示】
【発明が解決しようとする課題】
【０００７】
本発明は、画素間のクロストークを低減した電気泳動型ディスプレーを提供することを目的とする。
【課題を解決するための手段】
【０００８】
本発明の第１の態様は、請求項１記載の電気泳動型ディスプレー用駆動装置を提供するものである。本発明の第２の態様は、請求項１０記載のディスプレーパネルを提供するものである。本発明の第３の態様は、請求項１１記載の表示装置を提供するものである。本発明の第４の態様は、請求項１２記載の駆動方法を提供するものである。そして、効果的な実施形態が従属請求項にて定められる。
【０００９】
電気泳動型ディスプレーである従来のＥ−ｉｎｋディスプレーにおいては、電気泳動型ディスプレーの応答速度の高速化が求められ且つ電気泳動粒子にかかる電圧差が最大化される場合、クロストークが特に問題となることがある。カプセル又は例えばマイクロカップ等の区画の何れかを有する膜内の電気泳動粒子に基づくディスプレーでは、構築のために例えば接着層や結合層などの付加的な層が必要とされる。これらの層はまた電極間にあって電圧降下を生じさせるのが通常であり、それにより粒子にかかる電圧を低下させる。応答速度を増大させるためには、故に、これらの層の導電率を増大させることが考えられる。しかしながら、これは電気泳動型ディスプレー内でのクロストークを生じさせ得るものである。なぜなら、ある特定の画素に関連付けられた電界の一部が隣接する画素まで期せずして拡げられるからである。電界のこの部分はこれら画素の光学状態を意図された光学状態から外れるように変化させる。これは、極限の光学状態の１つに駆動される画素が駆動されない画素に隣接している場合、極めて目立つものである。このような状況には、黒色と白色の画素が交互になった市松模様のようなパターンを使用する空間ディザリング技術によって更なる階調が実現される場合に頻繁に遭遇する。
【００１０】
本発明の第１の態様に従った電気泳動型ディスプレーの駆動装置は、特定の駆動波形セットから、特定の1つの画素に対する特定の駆動波形を選択する制御器を有する。この特定の駆動波形セットは複数の波形セットから選択される。複数の波形セットからの特定の駆動波形セットの選択は、この特定の画素に隣接する画素の光学状態に依存する。この選択は、これら隣接画素とこの特定画素との間のクロストークが低減させるものである。各駆動波形セットは、特定画素の光学状態を得るのに必要で、隣接画素の光学状態の特定の構成に適した駆動波形を有する。必要な駆動波形は、隣接画素の光学状態の取り得る相異なる構成に対して、実験的に見出されてもよい。特定の駆動波形セットからの特定の駆動波形の選択は、特定の１つの画素に所望される光学状態によって決定される。画素ドライバがこの駆動波形を画素に供給する。
【００１１】
故に、駆動波形セットの数を増加させて画素の駆動を変更することによってクロストークが低減される。ここで、隣接画素の光学状態の色々な構成を考慮に入れる（画像更新）駆動波形を有するセットも含まれる。隣接画素に囲まれた特定画素の最適な駆動波形は検出された構成に基づいて選択される。
【００１２】
請求項２に記載された実施形態においては、駆動装置は、先行画像を記憶するメモリ、及び画素によって為されるべき所望の光学遷移を決定するために、現画像を先行画像と比較する比較器を有する。ここでは、前記光学状態は光学遷移である。この手法は、例えばＥ−ｉｎｋディスプレーにおいてのように、画素の光学状態が為されるべき光学遷移に依存する場合に特に意味を有する。
【００１３】
請求項３に記載された実施形態においては、各駆動波形セットは画素が為し得る全ての光学遷移を対象とするのに必要な全ての駆動波形を有する。例えば、画素が４つの光学状態を有する場合、16個の起こり得る光学遷移が存在し、従って駆動波形セットは16個の相異なる駆動波形を有してもよい。相異なる光学遷移に対して同一の波形が使用され得る場合には、駆動波形セットは16個未満の相異なる駆動波形を有してもよい。４つの光学状態は、例えば、白色、薄い灰色、濃い灰色、及び黒色としてもよい。
【００１４】
請求項４に記載された実施形態においては、所望の光学遷移がメモリに記憶される。公知のＥ−ｉｎｋに基づく電気泳動型ディスプレーにおいては、画素の先行光学状態と新たな光学状態との比較結果が直接的に、必要な駆動波形をもたらしている。故に、画素の初期及び最終の光学状態によって一意的に定められる簡易で素早い計算が、情報線がアドレスされる度に繰り返し実行され、画素が駆動される直前に適切な波形が選択されている。本発明においては、適切な駆動波形を定めることは相当に複雑になる場合がある。なぜなら、この作業は波形セットの数と、適切な波形セットを選択するのに使用される基準とに依存するからである。この計算は時間を要することがあるので、好適な実施形態においては、制御器は比較結果をメモリに記憶する。ここで、この比較は画像更新の開始前に一度だけ実行されればよい。メモリに記憶されたデータは情報線をアドレスしている間に、適切な駆動波形を選択するために取り出される。
【００１５】
請求項５に記載された実施形態においては、駆動波形の特別なセットはデータ部又は駆動パルスが適応される点で既存の駆動波形セットの駆動波形とは異なっている。既存の駆動波形セットとは、クロストークの影響が弱められない場合に必要な駆動波形のセットである。同一セットの相異なる波形において、データ部の相対タイミング（時間的な位置）が異なっていてもよい。これは、同一パルスが故意に時間的に遅れさせられるがレベル又は大きさは変更されないというオプションにも及ぶものである。このような遅延パルスはまたクロストークの影響を弱めるために使用され得る。
【００１６】
請求項６に記載された実施形態においては、前記特定の駆動波形は更にリセットパルスを有する。
【００１７】
請求項７に記載された実施形態においては、前記特定の駆動波形は隣接画素の光学状態に応じた期間及び／又は大きさを持つリセットパルスを有する。
【００１８】
請求項８に記載された実施形態においては、前記特定の駆動波形は更に振動パルスを有する。
【００１９】
請求項９に記載された実施形態においては、前記駆動波形は第１の振動パルス、リセットパルス、第２の振動パルス、及び駆動パルスを有してもよい。
【００２０】
欧州特許出願０２０７７０１７．８及び０３１００１３３．２として出願された、ＰＨＮＬ０２０４４１及びＰＨＮＬ０３００９１という出願人明細書に従った特許出願により、振動パルスとも呼ばれる事前パルスを用いることによって画像の記憶（retention）を最小化することが知られる。好ましくは、振動パルスは一連の交流（ＡＣ）パルスを有するが、振動パルスは単一のパルスのみを有してもよい。これらの特許出願は、駆動パルスの直前若しくはリセットパルスの直前の何れか、又は双方において振動パルスを使用することに関するものである。
【００２１】
本発明のこれら及び他の態様は、以下に記載される実施形態を参照して明らかとなる。
【発明を実施するための最良の形態】
【００２２】
図１は電気泳動型表示装置1の、例えば数個のディスプレー要素からなる大きさの部分の断面図を示している。電気泳動型表示装置1はベース基板2と、例えばポリエチレンから成る２つの透明基板3と4との間に存在し、電子インクを有する電気泳動膜を有している。一方の基板3は透明のピクチャー電極5、5’を具備しており、他方の基板4は透明の対極6を具備している。電子インクはおよそ10μmから50μmの複数のマイクロカプセル7を有している。マイクロカプセル7は球状である必要はなく、例えば主に長方形等の他の如何なる形状も取り得る。各マイクロカプセル7は、流動体40内に浮遊させられた正に帯電された黒色粒子8と負に帯電された白色粒子9とを有している。斜線の材料41は高分子接着剤である。粒子8及び9は黒と白以外の色をしていてもよい。重要なのは、２種類の粒子8及び9が相異なる光学特性と相異なる電荷とを有し、その結果、印加電界に対して別々の振る舞いをすることのみである。層3は必ずしも必要ではなく、接着層とすることもできる。対極6にピクチャー電極5に対して負電圧が印加されると電界が発生するが、その電界は黒色粒子8をマイクロカプセル7の対極6側に移動させ、見る人にはディプレー要素が暗く見えることになる。同時に、白色粒子9はマイクロカプセル7の反対側に移動し、見る人に対して隠される。対極6とピクチャー電極5との間に正電界を印加することにより、白色粒子9がマイクロカプセル7の対極6側に移動し、見る人（図示せず）にはディスプレー要素が白く見えることになる。電界が除去されると、粒子7はそれまでの状態に滞り、ディスプレーは双安定特性を示し、電力を実質的に全く消費しない。
【００２３】
図２は、能動スイッチング素子19、行ドライバ16及び列ドライバ10を具備するベース基板2上に積層された電気泳動膜を有する画像表示装置1の等価回路図を示している。好ましくは、カプセルに包まれた電気泳動インクを有する膜上に対極6が設けられるが、ディスプレーが平面内（in-plane）電界の使用に基づいて動作する場合、対極6は代わりにベース基板上に設けられ得る。表示装置1は、例えば薄膜トランジスタ19である能動スイッチング素子によって駆動される。表示装置1は、行電極すなわち選択電極17と列電極すなわちデータ電極11とが交差する領域のディスプレー要素から成る行列を有している。行ドライバ16が行電極17を連続して選択する一方で、列ドライバ10は選択された行電極17の列電極11にデータ信号を供給する。好ましくは、プロセッサ15が先ず入力データ13を、列電極11により供給されるデータ信号へと処理する。
【００２４】
制御線12及び12’は、列ドライバ10と行ドライバ16との間の相互同期を制御する信号を伝える。行電極17に電気的に接続された行ドライバ16からの選択信号は、薄膜トランジスタ19のゲート電極20を介して画素電極22を選択する。薄膜トランジスタ19のソース電極21は列電極11に電気的に接続されている。列電極11にあるデータ信号は、ＴＦＴのドレイン電極に結合されたディスプレー要素18（画素とも呼ばれる）の画素電極22に伝送される。図示された実施形態においては、図１の表示装置は更に、各ディスプレー要素18の位置に必要に応じてのオプションのキャパシタ23を有している。このオプションのキャパシタ23は関連画素18の画素電極22と１つ又は複数の蓄積キャパシタ線24との間に接続されている。ＴＦＴの代わりに、例えばダイオードやＭＩＭなどの、その他のスイッチング素子が適用されることも可能である。
【００２５】
プロセッサ15はメモリ150、比較器151、制御器153及びメモリ152を有してもよい。メモリ150は入力データ13の先行画像を記憶する。比較器151は入力データ13の現画像を記憶された先行画像と比較し、画素18によって為されるべき所望の光学遷移を決定する。制御器153は画素18毎にそれに隣接する画素18の光学遷移はどのようなものかを検査する。隣接画素18は特定の画素18を直接囲む画素18の全てでもよいし、一部の組でもよい。例えば、隣接画素18は同一行内の隣接画素、同一行（17）及び同一列（11）内の隣接画素の双方、又は特定画素の角部の隣接画素であってもよい。特定画素18により為されるべき光学遷移に応じて、駆動波形DijのセットSiから、隣接画素18について決定された光学遷移の型に属する特定画素18に対して適切な駆動波形Dijが選択される。こうして、隣接画素18の異なる型の光学遷移に対して、駆動波形Dijの異なるセットSiが用いられてもよい。これらのセットSiの各々は、隣接画素18の光学遷移による特定画素18へのクロストークの影響を低減又は補償するように隣接画素18の光学遷移の型に注意して、特定画素18の取り得る全ての光学遷移を得るのに必要な全ての波形を有する。これについては図３に示される例を用いて後で説明する。色々な駆動波形Dij又はそれへの参照がメモリ152に記憶される。必要な全ての駆動波形Dijがこのメモリに記憶されている場合、制御器153は簡単に、特定画素18に必要な光学遷移を隣接画素18の現在の光学遷移の型に対して適合させるのに適当な駆動波形Dijを取り出すことができる。そうでない場合には、制御器153は駆動波形への参照を用いて適切な駆動波形Dijを生成する。
【００２６】
ディスプレーパネル1を有する表示装置においては、入力データ13として画像をプロセッサに15に供給するために、入力データ信号IVを受信する画像処理回路25が存在する。入力データ13は画素18に為されるべき光学遷移を決定する。
【００２７】
図３Ａ乃至３Ｈは、クロストーク補償を用いるときと用いないときの駆動波形を示している。左側の図３Ａ乃至３Ｄは、隣接画素18の光学遷移に対する補償が実行されないとき、又は、例えば全ての隣接画素がその中心の画素と同一の光学遷移を有するときなど、そのような補償が不要である場合に用いられる標準駆動波形の一例を示している。
【００２８】
電気泳動型ディスプレーの従来の駆動は、特定画素18により為されるべき光学遷移の各々に対して同一の駆動波形Dojを有する単一セットSoの駆動波形のみを用いる。図３Ａ乃至３Ｄに示された例では、ｎ個の光学遷移の内の４つのみに関して、ｎ個の駆動波形Do1乃至Don（集合的にDojとも呼ぶ）の内の４つのみが示されている。図示されている駆動波形は、それぞれ、白色Wから黒色Bへの光学遷移に対するDo1、黒色Bから黒色Bへの光学遷移に対するDo2、黒色Bから白色Wへの光学遷移に対するDoj、白色Wから白色Wへの光学遷移に対するDonである。
【００２９】
公知の駆動波形については、詳細が例えば先述の欧州特許出願により周知であるので、簡単に説明するのみとする。駆動波形Do1乃至Donの全てにおいて、振動パルスSP1は、時間整合された極性が交互に変わる一連のパルスを有している。また、振動パルスSP2が駆動波形Do1乃至Donの全てに存在し、且つ時間整合されている。しかしながら、振動パルスSP1及び／又はSP2は時間整合されている必要はない。さらに、階調の変化が要求されない場合には、振動パルスSP1、SP2は存在する必要はない。波形Do1においては、全ての正の黒色粒子がマイクロカプセル7の頂部に移動されて画素18が黒く見えるように、リセットパルスRPは正の極性を有し、所望の光学状態である黒色Bに到達するのに駆動パルスDPは必要とされない。波形Do2においては、光学遷移は要求されないのでリセットは必要とされないが、粒子8及び9がくっつくことを防止するために、好ましくは短期間及び／又は低振幅の、正極性のリセットパルスが印加されてもよい。波形Dojにおいては、全ての負の白色粒子がマイクロカプセル7の頂部に移動されて画素18が白く見えるように、リセットパルスRPは負の極性を有し、所望の光学状態である白色Wに到達するのに駆動パルスDPはもはや必要とされない。波形Donにおいては、光学遷移は要求されないのでリセットは必要とされないが、負の極性のリセットパルスが印加されてもよい。中間調の灰色が表示されなければならない場合には、画素の光学状態をリセットパルスRPの印加によって到達された明瞭な白色又は黒色状態の何れかから変化させるために、ゼロではない駆動パルスDPが必要とされる。
【００３０】
粒子が他の色を有する場合、その他の光学遷移が起こることになる。例えば薄い灰色や濃い灰色などの更なる光学状態が存在してもよい。黒色B、濃い灰色、薄い灰色、及び白色Wの光学状態が可能である場合、16個の起こり得る光学遷移が存在し、それらの各々がn=16とした駆動波形Do1乃至Donに対応する。これらの波形の全てが相異なる必要は必ずしもない。この公知の手法は、特定画素18に隣接する画素18の光学遷移によって導入されるクロストークに注意を払っていない。駆動波形DojのセットSoは駆動波形の標準セットとも呼ぶことにする。
【００３１】
単に例として、図３Ａ乃至３Ｄに示された標準波形Dojは図示された順番に、第１の振動パルスSP1、リセットパルスRP、第２の振動パルスSP2、及び駆動パルスDPを有している。図示された４つの光学遷移では、駆動パルス（データ部）DPの振幅はゼロである。振動パルスSP1及びSP2は粒子8及び9の不活性（inertness）を減少させ、その結果、粒子はリセットパルスRP及び駆動パルスDPに、より速く応答するようになる。リセットパルスRPは、画素18の光学状態を先ずは明瞭な極限状態（黒色B又は白色W）に変化させることによって、画素18の光学状態の再現性を向上させる。しかしながら、振動パルスSP1、SP2の双方若しくは一方、及び／又はリセットパルスRPは必ずしも存在する必要はない。
【００３２】
隣接画素18の光学遷移の取り得る型ごとに、特定画素18へのクロストークの影響がどのようなものかを決定することが可能である。そして、クロストークが低減又は補償されるように、標準波形は上記のクロストークを考慮に入れるように適応され得る。適応された駆動波形Dijの１つのセットSiが図３Ｅ乃至３Ｈに示されている。この駆動波形Dijのセットは、隣接画素18の光学遷移による特定画素18へのクロストーク（の合計）が特定画素18の光学状態を白色側にシフトさせる場合に必要とされるものである。この白シフトは隣接画素18の大半が黒色から白色への光学遷移を有する場合に発生する。黒色から白色への光学遷移には、負のリセット及び／又は駆動電圧が必要とされる。クロストークにより、この負電圧の一部が特定画素18に印加され、故に白シフトを引き起こすことになる。
【００３３】
図３Ｅは、白色Wから黒色Bへの光学遷移を得るのに必要な駆動波形Di1を示している。この駆動波形Di1は図３Ａの駆動波形Do1と同一である。隣接画素18のリセットパルスRPによって発生されるクロストーク成分を無効にするリセットパルスRPにより、特定画素18は黒色Bにリセットされる。
【００３４】
図３Ｆは、駆動波形Do2を基礎とする駆動波形Di2を示している。この例では隣接画素18の負のリセットパルスRPによって発生されるクロストークと、特定画素18へのリセットパルスRPの不存在とにより、白シフトが発生する。この白シフトは正の駆動パルスDPによって補償される。この適応された駆動波形Di2の駆動パルスDPは、黒色Bと白色Wとの間の中間調への光学遷移に対する標準駆動波形の駆動パルスDP（図示せず）と位置（駆動波形における発生時点）的に完全あるいは部分的に一致していてもよい。適応された駆動波形Di2の駆動パルスDPはまた、標準駆動波形の駆動パルスDPの位置に先行してもよいし、後に続いてもよい。駆動パルスDPを適応又は付加することに代えて、クロストークの影響が減少されるようにリセットパルスの振幅及び／又は期間を適応することも可能である。
【００３５】
図３Ｇは、黒色Bから白色Wへの光学遷移を得るのに必要な駆動波形Dijを示している。この駆動波形Dijは図３Ｃの駆動波形Dojと同一である。隣接画素18のリセットパルスRPによって発生されるクロストーク成分を無効にするリセットパルスRPにより、特定画素18は白色Wにリセットされる。何れにせよ、このクロストークは白色側へのシフトのみ引き起こし得るが、白色より白いことはあり得ない。
【００３６】
図３Ｈは、駆動波形Donを基礎とする駆動波形Dinを示している。この例では隣接画素18の負のリセットパルスRPによって発生されるクロストークと、特定画素18へのリセットパルスRPの不存在とにより、白シフトが発生する。白色より白いことはあり得ないので、この白シフトは補償される必要はない。
【００３７】
しかしながら、黒シフトが発生することもあり得る。この黒シフトは隣接画素18の大半が白色から黒色への光学遷移を有する場合に発生する。白色から黒色への光学遷移には、正のリセット及び／又は駆動電圧が必要とされる。クロストークにより、この正電圧の一部が特定画素18に印加され、故に特定画素の黒シフトを引き起こすことになる。特定画素に黒シフトをもたらすような光学遷移を隣接画素が有する場合、この黒シフトは波形Dinに負の駆動パルスDP（破線のパルスによって図示）を導入することによって補償され得る。このようにした波形は、隣接画素の光学遷移の構成が異なるので、別の波形セットに属する。
【００３８】
故に、駆動波形Dojの単一のセットSoに代えて駆動波形Dijの幾つかのセットSo乃至Siを用いることにより、クロストークが低減される。隣接画素18の光学遷移の構成に応じて、特有のクロストークが特定画素18に生じる。このクロストークは、特定画素に所望される光学遷移に対して、隣接画素18の光学遷移の実際の構成に適合する駆動波形を波形セットから選択することによって低減される。
【００３９】
要するに、本発明に従った電気泳動型ディスプレーの動作は以下のようになる：
（i）従来の電気泳動型ディスプレーにおいてのように、現画像及び新画像の画像内容が制御電子装置のメモリに格納される；
（ii）２つの画像の内容が比較され、それにより、（従来技術のように）特定画素18の初期状態及び最終状態が決定されるだけではなく、この特定画素18の周囲の性質も決定される。一般に、クロストークの影響を決定するには新画像の周囲画素が最も重要となる；
（iii）比較が為されると、特定画素18を以前の光学状態から新たな光学状態に切り替えるために、制御電子装置が一連の駆動波形Dijの１つを呼び出す。選択される波形は、この特定画素18を取り囲む周囲画素18の光学状態又は光学遷移に依存する。通常、適切な波形を選択するためには、この特定画素18の初期状態も知られなければならない。
【００４０】
４階調を有するディスプレーの一例では、駆動波形Dijの各セットSiは、階調間の起こり得る遷移の全てを対象とする16個の相異なる駆動波形Dijを有してもよい。例えば、以下の何れかの場合に対して相異なるセットSiが作成されてもよい。特定画素18の隣接画素18の全てが同一の光学遷移を有する場合。隣接画素18の少なくとも１つが特定画素18と異なる光学遷移を有する場合。隣接画素18の大半が特定画素18と異なる光学遷移を有する場合。隣接画素18の全てが特定画素18と異なる光学遷移を有する場合。さらに、隣接画素の光学遷移の極性、特定画素18と異なる光学遷移を有する隣接画素18の位置、又は特定画素18がディスプレーの端部にあるかどうか、に応じて異なるセットを含むように、セットSiが拡張されてもよい。
【００４１】
上述の実施形態は本発明を例示するものであって限定するものではない。また、当業者は添付の請求項の範囲を逸脱することなく代替実施形態を数多く設計できるであろう。電気泳動型ディスプレーがＥ−ｉｎｋディスプレーであることは本発明の本質ではない。本発明は、粒子が印加電界によって移動する他の如何なる電気泳動型ディスプレーにも有用である。
【００４２】
請求項において、括弧内の如何なる参照符号も請求項を限定すると解釈されるものではない。また、“有する”という動詞及びその活用形の使用は請求項に記載された以外の要素又はステップの存在を排除するものではなく、要素の不定冠詞“ある（a又はan）”はそのような要素が複数存在することを排除するものではない。本発明は、幾つかの相異なる要素を有するハードウェアによって実施されてもよく、また適切にプログラムされたコンピュータによって実施されてもよい。幾つかの手段を列挙する装置の請求項においては、これらの手段の幾つかは１つ且つ同一のハードウェア品目によって具現化されてもよい。ある特定の手段が互いに異なる従属項に挙げられているという単なる事実は、これらの手段の組み合わせが有利に用いられ得ないことを指し示すものではない。
【図面の簡単な説明】
【００４３】
【図１】電気泳動型表示装置の一部を示す断面図である。
【図２】電気泳動型表示装置の一部の等価回路図を用いて表示装置を示す図である。
【図３Ａ】クロストーク補償を用いないときの駆動波形を示す図である。
【図３Ｂ】クロストーク補償を用いないときの駆動波形を示す図である。
【図３Ｃ】クロストーク補償を用いないときの駆動波形を示す図である。
【図３Ｄ】クロストーク補償を用いないときの駆動波形を示す図である。
【図３Ｅ】クロストーク補償を用いるときの駆動波形を示す図である。
【図３Ｆ】クロストーク補償を用いるときの駆動波形を示す図である。
【図３Ｇ】クロストーク補償を用いるときの駆動波形を示す図である。
【図３Ｈ】クロストーク補償を用いるときの駆動波形を示す図である。
【図１】
2008508549.tif 000003
【図２】
2008508549.tif 000004
【図３Ａ】
2008508549.tif 000005
【図３Ｂ】
2008508549.tif 000006
【図３Ｃ】
2008508549.tif 000007
【図３Ｄ】
2008508549.tif 000008
【図３Ｅ】
2008508549.tif 000009
【図３Ｆ】
2008508549.tif 000010
【図３Ｇ】
2008508549.tif 000011
【図３Ｈ】
2008508549.tif 000012
【国際調査報告】
2008508549.tif 000013
2008508549.tif 000014
2008508549.tif 000015